(57)【要約】【解決手段】第１装置と第２装置との間のスレッド表示された会話を増加させるためのコンピュータに実装された方法。当該方法は、前記第１装置において、スレッド表示された会話を増加させるために構成されている選択可能なアニメーションの選択を通して、前記選択可能なアニメーションを受信するステップと、前記選択可能なアニメーションが前記第１装置および前記第２装置の会話ビュー内に出現するように、前記選択可能なアニメーションの選択を前記スレッド表示された会話に埋め込むステップとを含む。【選択図】図１
2015530634.tif 000002
【特許請求の範囲】
【請求項１】
第１装置と第２装置との間のスレッド表示された会話を増加させるためのコンピュータに実装された方法であって、当該方法は、
前記第１装置において、スレッド表示された会話を増加させるために構成されている選択可能なアニメーションの選択を通して、前記選択可能なアニメーションを受信するステップと、
前記選択可能なアニメーションが前記第１装置および前記第２装置の会話ビュー内に出現するように、前記選択可能なアニメーションの選択を前記スレッド表示された会話に埋め込むステップとを含むことを特徴とするコンピュータに実装された方法。
【請求項２】
選択可能なアニメーションの表示のセットを前記第１装置に表示するステップをさらに含むことを特徴とする請求項１に記載のコンピュータに実装された方法。
【請求項３】
選択可能なアニメーションの表示のセットを表現する選択可能な画像を表示するステップをさらに含み、
前記選択可能な画像の選択があるとすぐ、前記選択可能なアニメーションの表示のセットが表示されることを特徴とする請求項１に記載のコンピュータに実装された方法。
【請求項４】
前記選択可能な画像の選択を受信することに応じて、前記選択可能なアニメーションの表示のセットを表示するステップをさらに含むことを特徴とする請求項３に記載のコンピュータに実装された方法。
【請求項５】
前記選択可能なアニメーションの表示のセットを表示するステップは、
前記第１装置のディスプレイスクリーン上に存在する制御バーを置き換えるアニメーション制御バー内に、前記選択可能なアニメーションの表示のセットを表示するステップを含むことを特徴とする請求項４に記載のコンピュータに実装された方法。
【請求項６】
前記選択可能なアニメーションの表示のセットを表示するステップは、
リスト形式で前記選択可能なアニメーションの表示のセットを表示するステップを含むことを特徴とする請求項４に記載のコンピュータに実装された方法。
【請求項７】
前記選択可能なアニメーションの表示のセットを表示するステップは、
回転式コンベア（carousel）形式で前記選択可能なアニメーションの表示のセットを表示するステップを含むことを特徴とする請求項４に記載のコンピュータに実装された方法。
【請求項８】
前記選択可能なアニメーションのためのアクティベーションアクション（activation action）を受信し、当該アクティベーションアクションの受信に応じて前記アニメーションを再生するステップをさらに含むことを特徴とする請求項１に記載のコンピュータに実装された方法。
【請求項９】
繰り返しアクティベーションアクションを受信することに応じて、前記アニメーションを繰り返し再生するステップをさらに含むことを特徴とする請求項８に記載のコンピュータに実装された方法。
【請求項１０】
前記会話ビュー中の前記選択可能なアニメーションの出現と同時に、選択可能なアニメーションの表示のセットに関連する購入情報を前記第２装置に表示するステップをさらに含むことを特徴とする請求項１に記載のコンピュータに実装された方法。
【請求項１１】
テレビ会議の最後に、前記会話ビュー中の前記選択可能なアニメーションの出現と同時に、選択可能なアニメーションの表示のセットに関連する購入情報を前記第１装置に表示するステップをさらに含むことを特徴とする請求項１に記載のコンピュータに実装された方法。
【請求項１２】
スレッド表示された会話に参加するために構成された第１装置であって、当該第１装置は、
第２装置とのスレッド表示された会話を表示するために前記第１装置に配置されたディスプレイと、
スレッド表示された会話を増加させるために構成されている選択可能なアニメーションの選択を通して、前記選択可能なアニメーションを受信するために構成された選択受信部と、
前記第２装置に出現する前記スレッド表示された会話の中に前記選択可能なアニメーションの選択を埋め込むために構成されたアニメーション埋込部と、
前記選択可能なアニメーションの前記選択を含む前記スレッド表示された会話を送信するための送信部とを備え、
前記選択を含む前記スレッド表示された会話は、前記第２装置において会話ビューの中に表示されるために構成されていることを特徴とする装置。
【請求項１３】
タッチスクリーンディスプレイをさらに備えることを特徴とする請求項１２に記載の装置。
【請求項１４】
ビデオカメラをさらに備えることを特徴とする請求項１２に記載の装置。
【請求項１５】
マイクをさらに備えることを特徴とする請求項１２に記載の装置。
【請求項１６】
実行されたとき、コンピュータプロセッサに方法を実行させる命令が格納されたコンピュータが読み出し可能な記録媒体であって、当該方法は、
第１装置において、スレッド表示された会話を増加させるために構成されている選択可能なアニメーションの選択を通して、前記選択可能なアニメーションを受信するステップと、
前記選択可能なアニメーションが前記第１装置および第２装置の会話ビュー内に出現するように、前記選択可能なアニメーションの選択を前記スレッド表示された会話に埋め込むステップと、
前記第２装置に、前記選択可能なアニメーションに関連する購入情報を表示するステップとを含むことを特徴とするコンピュータが読み出し可能な記録媒体。
【請求項１７】
前記第１装置に前記選択可能なアニメーションに関連する前記購入情報を表示するための命令をさらに含むことを特徴とする請求項１６に記載のコンピュータが読み出し可能な記録媒体。
【請求項１８】
前記第１装置における前記選択可能なアニメーションに関連する前記購入情報の表示は、
前記会話ビュー中の前記選択可能なアニメーションの出現と同時に、選択可能なアニメーションの表示のセットに関連する購入情報を前記第１装置に表示することを含むことを特徴とする請求項１７に記載のコンピュータが読み出し可能な記録媒体。
【請求項１９】
前記表示するステップは、
前記会話ビュー中の前記選択可能なアニメーションの出現と同時に、選択可能なアニメーションの表示のセットに関連する購入情報を前記第２装置に表示するステップを含むことを特徴とする請求項１６に記載のコンピュータが読み出し可能な記録媒体。
【請求項２０】
前記第２装置に、前記選択可能なアニメーションに関連する購入情報を表示するステップは、
一人のユーザの費用で、限定された日数利用可能なアニメーションパッケージを表示するステップを含むことを特徴とする請求項１６に記載のコンピュータが読み出し可能な記録媒体。
【請求項２１】
前記第２装置に、前記選択可能なアニメーションに関連する購入情報を表示するステップは、
ユーザに無料で、限定された日数利用可能なアニメーションパッケージを表示するステップを含むことを特徴とする請求項１６に記載のコンピュータが読み出し可能な記録媒体。
【請求項２２】
前記第２装置に、前記選択可能なアニメーションに関連する購入情報を表示するステップは、
前記選択可能な購入情報の画像の第１セットを表示し、前記選択可能な購入情報の画像の第１セットの選択があるとすぐ、前記購入情報の詳細の第１セットを表示するステップを含むことを特徴とする請求項１６に記載のコンピュータが読み出し可能な記録媒体。
【請求項２３】
前記第２装置に、前記選択可能なアニメーションに関連する購入情報を表示するステップは、
前記選択可能な購入情報の画像の第２セットを表示し、前記選択可能な購入情報の画像の第２セットの選択があるとすぐ、前記購入情報の詳細の第２セットを表示するステップを含むことを特徴とする請求項１６に記載のコンピュータが読み出し可能な記録媒体。
【発明の詳細な説明】
【技術分野】
【０００１】
関連出願の相互参照
本出願は、２０１２年７月６日に出願された“スレッド表示された会話の中のアニメーション”と題する米国仮出願６１／６６８，８１１に関連してその優先権を主張するものであり、その開示全体が参照により本願に組み込まれる。本出願はまた、２０１３年３月１５日に出願された“スレッド表示された会話の中のアニメーション”と題する米国特許出願１３／８３９，４８２に関連してその優先権を主張するものであり、その開示全体が参照により本願に組み込まれる。
【背景技術】
【０００２】
発明の背景
メッセージアプリケーションを利用している参加者は、文字通信（text message）、電子メール、その他を送信することでお互いに通信する。例えば、参加者は携帯装置を介してメッセージを送信したり受信したりする間、交流することができる。しかしながら、参加者は、単にテキストを送信するだけでは、お互いに伝えようとすることを明瞭に表現できないかもしれない。
【図面の簡単な説明】
【０００３】
【図１】実施の形態に係る装置の例を示す図である。
【図２Ａ】実施の形態に係る装置の例を示す図である。
【図２Ｂ】実施の形態に係る装置の例を示す図である。
【０００４】
【図３Ａ】実施の形態に係るディスプレイスクリーン上の会話ビュー内のスレッド表示された会話中にアニメーションを表示して再生する例を示す図である。
【図３Ｂ】実施の形態に係る、ディスプレイスクリーン上の会話ビュー内のスレッド表示された会話中にアニメーションを表示して再生する例を示す図である。
【図３Ｃ】実施の形態に係る、ディスプレイスクリーン上の会話ビュー内のスレッド表示された会話中にアニメーションを表示して再生する例を示す図である。
【０００５】
【図４Ａ】実施の形態に係る再生のための選択可能なアニメーションの例を示す図である。
【図４Ｂ】実施の形態に係るアニメーション購入のための選択可能なオプションの例を示す図である。
【０００６】
【図５Ａ】実施の形態に係る、選択および再生するための選択可能なアニメーションと（本明細書における種々の実施の形態ではスクロール可能な）表示バー１９２の例を示す図である。
【図５Ｂ】実施の形態に係る、選択および再生するための選択可能なアニメーションと（本明細書における種々の実施の形態ではスクロール可能な）表示バー１９２の例を示す図である。
【０００７】
【図６】実施の形態に係るスレッド表示された会話中にアニメーションを配置するための方法の例を示す図である。
【０００８】
【図７】実施の形態に係るスレッド表示された会話中にアニメーションを配置するための方法の例を示す図である。
【０００９】
特に言及する場合を除いて、本明細書で参照する図は正寸ではないことを理解するべきである
【発明を実施するための形態】
【００１０】
これから本技術の形態が詳細に言及される。本技術の形態の例は添付の図面で説明されている。本技術は様々な形態と組み合わせて述べられるが、当然のことながら、それらは本技術をこれらの形態に限定することを意図したものではない。一方で、本技術は、添付の請求の範囲で定義されるような様々な形態の精神と範囲に含まれる、変形、修正及び均等をカバーする意図である。
【００１１】
更に、本形態の以下の記述において、本発明の完全な理解のために、多くの具体的詳細について説明する。しかしながら、本技術は、これらの具体的詳細なしに実施されることができる。他の例においてよく知られた方法、手順、部品及び回路は、本形態の特徴をいたずらに不明瞭としないために、詳細に述べられていない。
【００１２】
実施の形態は、第１装置のユーザがスレッド表示された会話の中にアニメーションを組み込み、第２装置のユーザにこのアニメーションを送信できるようにする。スレッド表示された会話の中に、メッセージが話題によって階層毎に視覚的に分類される。また、あるメッセージに対するいずれの返信も、もとのメッセージの近くに視覚的に配置される。スレッド表示された会話は、例えば限定はしないが、電子メール、文字通信（texting）、掲示板、ニュースグループ、およびインターネット等の種々のフォーラム（forums）で用いられている特徴である。さらに、スレッド表示された会話の中で、少なくとも文字通信、映像および音声が参加者間で通信される。スレッド表示された会話（文字通信、ビデオおよび／または音声メッセージを含む）は、装置のディスプレイスクリーン上の会話ビュー内に出現する。実施の形態は、コミュニケーションを目的とする複数のユーザの間で、スレッド表示された会話のモデル中に音声／映像アニメーションと文字および／または音声／映像とを組み合わせることができる。
【００１３】
さらに、実施の形態は、別の参加者に届けられたアニメーションが、受信した参加者によるクリック可能な（選択可能な）グラフィックによって表されるようにする。ひとたび受信した参加者がクリック可能なグラフィックをクリックすると、アニメーションは会話ビュー内のスレッド表示された会話の上のオーバーレイ（overlay）として再生される。さらに、送信した参加者も、グラフィックをクリックしてアニメーションを再生するために、会話ビュー中のクリック可能なグラフィックをクリックしてもよい。
【００１４】
実施の形態は、送信する参加者と受信する参加者との両者がアニメーションを再生（もし望まれるなら繰り返し再生）できるようにする。さらに、アニメーションは参加者の会話ビューから直接購入されてもよい。実施の形態は、クリック可能な図像（pictogram）またはアニメーションを表すクリック可能なグラフィックに隣接するリンクを表示することによってアニメーションの購入を可能とする。
【００１５】
実施の形態はさらに、アニメーションのセットの内の１つのアニメーションを選択すること可能とするために、スクロール可能なセレクタを提供する。さらに、これらの選択可能なアニメーションは、スレッド表示された会話中の他の参加者と共有されてもよい。
【００１６】
図１は、実施の形態に係る装置１００を示す図である。装置１００は、テレビ会議に参加するために構成されている。図２Ａおよび図２Ｂは、テレビ会議に参加している装置１００および２００を示す図である。一般に、テレビ会議は、２またはそれより多くの場所から、多方向（multi-way）の映像および音声の同時転送を介してやりとり可能とする。
【００１７】
以下の議論は、まず装置１００の構成要素から記載する。装置１００および２００間のビデオ会議および／またはスレッド表示された会話の間における装置１００の機能を記載する。装置１００および２００は、例えばラップトップ、デスクトップ、スマートフォン、タブレット、テレビ等のスレッド表示された会話、またはテレビ会議とスレッド表示された会話とに参加可能な任意の通信装置である。種々の実施の形態において、装置１００は、例えばスマートフォンＰＤＡ（personal digital assistant）、およびそれと類似する携帯式のモバイル装置である。
【００１８】
さらに、明確さおよび簡潔さのため、装置１００の構成および機能に焦点を当てて議論している。しかしながら、装置２００も装置１００と同様に動作する。ある実施の形態では、装置２００は装置１００と同一であり、装置１００と同じ構成要素を備える。
【００１９】
装置１００はディスプレイ１１０、アニメーション選択受信部１２０、アニメーション埋込部１３０、送信部１４０、カメラ１５０、マイク１５２、およびスピーカ１５４を備える。装置１００は、任意でＧＰＳを備えてもよい。
【００２０】
ディスプレイ１１０は、装置２００におけるビデオキャプチャにキャプチャされたメッセージを表示するために構成されている。他の実施の形態では、ディスプレイ１１０はさらに、装置１００でキャプチャされた映像を表示するために構成されている。
【００２１】
アニメーション選択受信部１２０は、選択可能なアニメーションにアクセするために構成されている。選択可能なアニメーションは、スレッド表示された会話を増加させるために構成されている（選択可能なアニメーションの詳細は後述する）。例えば、装置１００のユーザ１０５が、装置２００のユーザ２０５との文字通信の会話に参加している場合、文字による会話は、（図３Ａに示されるディスプレイスクリーンとして）ディスプレイ１１０と、デバイス２００のディスプレイ２１０とに出現する。
【００２２】
アニメーション埋込部１３０は、スレッド表示された会話中に選択可能なアニメーション１９０の選択を埋め込むために構成されている。例えば、アニメーション埋込部１３０は、装置１００および／または装置２００において出現している文字通信の中に選択可能なアニメーションを埋め込むために構成されている。アニメーション埋込部１３０はまた、共有化された音声／映像の中に選択可能なアニメーションの選択を埋め込むために構成されている。
【００２３】
送信部１４０は、データ（例えばアニメーション、制御コード）を送信するために構成されている。
【００２４】
装置１００は、オプションで、ビデオカメラ１５０、マイク１５２、スピーカ１５４、およびＧＰＳ１６０の中から１以上を備える。ビデオカメラ１５０は、装置１００において映像をキャプチャするためのものである。マイク１５２は、装置１００において音声をキャプチャするためのものである。スピーカ１５４は、装置１００において可聴信号を生成するためのものである。
【００２５】
ＧＰＳ１６０は、装置１００の位置を決定するためのものである。
【００２６】
本明細書において後に記載するように、図３Ａ、３Ｂ、および３Ｃは、実施の形態に係るディスプレイスクリーン上の会話ビュー内のスレッド表示された会話中にアニメーションを表示して再生する例を示す図である。
【００２７】
図２Ａを参照すると、装置１００および２００は、スレッド表示された会話（および、おそらくテレビ会議）に互いに参加している。種々の実施の形態において、２以上の装置が、スレッド表示された会話に互いに参加する。
【００２８】
スレッド表示された会話の間、ビデオカメラ２５０は装置２００において映像をキャプチャする。例えば、ビデオカメラ２５０は、装置２００のユーザ２０５の映像をキャプチャする。
【００２９】
ビデオカメラ１５０は、装置１００において映像をキャプチャする。例えば、ビデオカメラ１５０は、ユーザ１０５の映像をキャプチャする。ビデオカメラ１５０および２５０は、それぞれカメラ１５０および２５０の視野範囲（viewing range）内の任意の被写体をキャプチャすることは理解されるべきである。
【００３０】
マイク１５２は、装置１００においてキャプチャされた映像信号に対応する音声信号をキャプチャする。同様に、装置２００のマイクは、装置２００においてキャプチャされた映像信号に対応する音声信号をキャプチャする。
【００３１】
装置２００においてキャプチャされた映像は、装置１００のディスプレイ１１０に転送され表示される。例えば、ユーザ２０５の映像は、ディスプレイ１１０の第１ビュー１１２上に表示される。図３Ａ−３Ｃを参照すると、ディスプレイ１１０の第１ビュー１１２に表示されているユーザ２０５のビューは、ユーザ２０５であるＵｒｉの静止画像またはライブ画像を指定する箱（box）にある。同様に（図３Ａ−３Ｃには示されていないが）、装置２００の第２ビュー２１２上に表示されたユーザ１０５のビューは、ユーザ１０５であるＰｅｇｇｙの静止画像またはライブ画像を指定する箱にある。
【００３２】
装置１００においてキャプチャされたメッセージ（およびある例では映像）は、装置２００のディスプレイ２１０に転送されて表示される。
【００３３】
ある実施の形態では、装置１００および２００でキャプチャされた音声信号は、キャプチャされた映像に組み込まれる。他の実施の形態では、音声信号は送信された映像とは別に送信される。
【００３４】
アニメーション選択受信部１２０は、選択可能なアニメーションの表示（例えば、アニメーションを表示する画像）を受信することを通して、スレッド表示された会話と統合するために選択可能なアニメーション１９０の選択を受信する。アニメーションは、一連の画像またはフレームを表示することによって生成された見かけ上の動きである。実施の形態では、アニメーションそれ自体をサーバまたは装置２００から装置１００で受信することもでき、またアニメーションはその時々において受信されることもできる。例えば、増加させるアプリケーション（augmenting application）が装置１００にダウンロードされたとき、ログインの間、またはリアルタイムで、アニメーションがテレビ会議の中に埋め込まれることを指示されたときに、アニメーションは受信されることができる。限定はしないが、さらに、アニメーションはテレビ会議アプリケーションとともに、文字通信アプリケーションとともに、事後的または選択の一部（例えば電子カタログ）として、発呼（call）の間、ユーザがアプリケーションを利用するとき、およびアプリケーションがアップデートされるときに、ダウンロードされることによって受信されることもできる。
【００３５】
図２Ａおよび６に示されている選択可能なアニメーションの表示のセット１９１（例えば星、ヤシの木（palm tree）、花、雨雲）は、いくらでもあるアニメーションの例のうちのほんの少しだけである。選択可能なアニメーション１の表示のセット１９１は、１以上の選択可能なアニメーションの表示を含むことは理解されるべきである。アニメーションは、スレッド表示された会話を増加させることができるどのようなオブジェクトでも可能であることは理解されるべきである。言い換えると、アニメーションは、スレッド表示された会話の参加者の間における追加的なコミュニケーションが可能な任意のオブジェクトであり得る。例えば、限定はしないが、アニメーションはキス、ハート、顔文字（emoticon）、ハイタッチ（high-five）背景画像（フォトブース（photo booth）タイプの効果）、色空間の変更、および／または画像処理変更（例えば細くしたり太らせたりする）、またはアバタが可能である。
【００３６】
アニメーションは可視のアニメーションに限定されないことは理解されるべきである。例えば、アニメーションは複数の音声、音声および映像のうちの１つとすることもできる。加えて、アニメーションはあらかじめ決定されている必要はない。例えば、アニメーションの表示は、アプリケーションのユーザとの対話処理（interaction）の結果であってもよい。
【００３７】
ある実施の形態では、選択可能なアニメーションの表示のセット１９１は、ユーザ１０５による閲覧のためにディスプレイ１１０上に表示される。例えば、選択可能なアニメーションの表示のセット１９１は、アニメーションディスプレイバー１９２上に表示される。ある実施の形態では、アニメーションディスプレイバー１９２は、第１ビュー１１２上に重ねて表示される。他の実施の形態では、アニメーションディスプレイバー１９２は、第１ビュー１１２および／または第２ビュー２１２とともに表示される。
【００３８】
種々の実施の形態において、限定はしないが、キー操作、カーソルの移動、タッチスクリーン上のタッチの検出、およびユーザによる明確な指示（表情、ウィンク、投げキス、手ぶり、およびそれと類似するもの）のような入力に応じて、アニメーションディスプレイバー１９２が表示されてもよい。
【００３９】
アニメーション埋込部１３０は、スレッド表示された会話中に選択可能なアニメーション１９０を埋め込むことを促進する。図３Ａ、３Ｂ、および３Ｃを参照すると、スレッド表示された会話はディスプレイスクリーン上に示され、そこに統合されているのは選択されたアニメーションの表示である。図３Ａを参照すると、ＵｒｉとＰｅｇｇｙとの間で会話が行われている。ユーザ１０５であるＰｅｇｇｙは、装置１００を所持している。スレッド表示された会話は、文字および映像を含む。さらに、Ｐｅｇｇｙは、文字送信する間Ｕｒｉをライブで見ることができる。Ｐｅｇｇｙは、選択可能なアイコンのセットを検索し、Ｕｒｉに送信するための唇のペアを選ぶ。Ｐｅｇｇｙは、ディスプレイスクリーンの右側に出現するＰｅｇｇｙが選択した唇が見える。より具体的には、Ｐｅｇｇｙが選択したアニメーションを表示するアイコンが、「再生」ボタン上に出現する。再生ボタンを押下することにより、ＰｅｇｇｙはＵｒｉに送信したアニメーションを観察しうる。Ｐｅｇｇｙが「再生」ボタンをタップすると、Ｐｅｇｇｙはいくつかの唇のペアが、ディスプレイスクリーン１１０に重畳して横断するのを観察する。装置２００のユーザ２０５であるＵｒｉに関しても、ディスプレイスクリーン２１０上に、唇のペアのアニメーションの表示とともに「再生」ボタンが出現する。Ｕｒｉが「再生」ボタンをタップすると、唇のペアがディスプレイ２１０上に重畳されて横断する。
【００４０】
種々の実施の形態では、アニメーションがディスプレイスクリーンの特定の領域にのみ出現するように、あらかじめプログラムすることができる。
【００４１】
図２Ａは、スレッド表示された会話中に組み込まれた選択可能なアニメーション１９０を示す図である。しかしながら、任意の数の選択可能なアニメーションが、スレッド表示された会話モデル中にいくつでも組み込まれることができることは理解されるべきである。例えば、選択されたアニメーションの表示を表す５つの異なるアニメーションが、選択可能なアニメーションの表示のセットから選択され、スレッド表示された会話中に同時に組み込まれてもよい。
【００４２】
本明細書で用いられる「埋め込む（incorporate）」という用語は、選択可能なアニメーション１９０がスレッド表示された会話のある部分とともに単に表示されることを説明するために用いられる。よって、選択可能なアニメーション１９０は、スレッド表示された会話のある部分とともに単に表示される。
【００４３】
図２Ａをさらに参照して、ユーザ１０５であるＰｅｇｇｙは、Ｕｒｉに送信するための選択可能なアニメーション１９０（風船）を選ぶ。Ｐｅｇｇｙのディスプレイ１１０は、スレッド表示された会話中に出現している「再生」ボタン１０５を通して、Ｐｅｇｇｙが風船を選択したことを示す。同時に、「再生」ボタンが、Ｕｒｉのディスプレイスクリーン２１０上にも出現する。Ｕｒｉが「再生」ボタンを押下した場合／とき、風船の集合が装置２００のディスプレイ２１０に出現して浮き上がって横断し、装置１００のディスプレイスクリーンも横断する。ある実施の形態では、選択可能なアニメーション１９０は、スレッド表示された会話を示しているディスプレイスクリーン上にオーバーレイとしてスーパーインポーズされる。ゆえに、選択可能なアニメーション１９０は、装置１００および２００上にオーバーレイとして同時にスーパーインポーズされる。例えば、選択可能なアニメーション１９０は、（図２Ａに示されるように）ビュー１１２とビュー２１２とに表示された会話ビュー上に同時に重畳される。
【００４４】
他の実施の形態では、第２ビュー２１２上にアニメーションが表示されている間に、ユーザ２０５が選択可能な「再生」ボタン２６０において再生のためのアニメーションを選択すると、第１ビュー１１２上には表示されない。
【００４５】
図２Ｂは、実施の形態に係るデバイスの例を示す図である。選択可能な画像３０５は、（タッチによって）選択される可能性がある画像であり、それによって選択可能なアニメーションの表示のセット１９１がアニメーションディスプレイバー１９２に描画される。
【００４６】
図４Ａおよび図４Ｂはそれぞれ、実施の形態に係る、表示するための選択可能なアニメーションと、アニメーションの購入のための選択可能なオプションとを例示する図である。図４Ａおよび４Ｂにおいて、装置１００のユーザ１０５はＳａｒａｈであり、ＳａｒａｈとＣａｌｖｉｎ Ｋｏｎｇとの間のスレッド表示された会話が図４および４Ｂに示されている。Ｃａｌｖｉｎ Ｋｏｎｇは、「Ｈｉ ｍｅ！」と入力した。Ｓａｒａｈは、「Ｃｏｏｌ」と返信した。Ｃａｌｖｉｎ Ｋｏｎｇは、Ｓａｒａｈに送信するためのアニメーションを選択し、そのアニメーションを送信した。「プレイ」グラフィック４０５を介するアニメーション再生の能力は、第１ビュー１１２内の会話ビューの中に現れている。Ｓａｒａｈは、第１ビュー１１２上でアニメーションを表示するために「プレイ」ボタン４０５をクリックするかもしれない。さらに、Ｓａｒａｈは、そのアニメーションを購入するために、「Ｉ ｗａｎｔ ｔｈｉｓ！」というクリック可能なリンクをクリックするかもしれない。クリック可能なリンクは任意の言語または可視指示（visual indication）を含んでもよいことは理解されるべきである。この可視指示は、図４Ｂの購入画面に移動するためにアクティブになることができる。図４Ｂは、Ｓａｒａｈが「プレイ」ボタン４０５をクリックした後に何が起こるかを例示している。Ｓａｒａｈは、第１ビュー１１２内において、「キャンセル」４１０または「購入」４１５の選択可能なオプションを受信する。さらに、図に示されているように、第１ビュー１１２に出現している情報は、「アプリケーション内での購入の確認」、「０．９９ドルでクラシックを１つ購入しますか？」、および［環境：サンドボックス］とも述べている。Ｓａｒａｈには、図４Ａ中に示されたアイコン４２０で表されたアニメーションの購入をキャンセルする選択肢と、そのアニメーションを購入する選択肢とがある。ひとたび購入すると、Ｓａｒａｈはそのアニメーションを他の会話の参加者と何度でも共有しうる。
【００４７】
図５Ａおよび５Ｂは、実施の形態に係る、選択および再生するための選択可能なアニメーションと（本明細書における種々の実施の形態ではスクロール可能な）表示バー１９２の例を示す図である。図５Ａおよび図５Ｂにおいて、装置１００のユーザ１０５はＳａｒａｈであり、ＳａｒａｈとＣａｌｖｉｎ  Ｋｏｎｇとの間のスレッド表示された会話が図５Ａおよび５Ｂに示されている。この例では、Ｃａｌｖｉｎ  ＫｏｎｇがＳａｒａｈの装置にアニメーションを送信した。Ｓａｒａｈは、アニメーションを再生するために「再生」ボタン５０５をクリックするかもしれない。アニメーションはグラフィック５１０によって示されている。再生ボタン５０５をクリックすると、装置１００の第１ビュー１１２上にアニメーション（不図示）が出現し、スレッド表示された会話上に重畳される。加えて、Ｓａｒａｈは、”Ｉ  ｗａｎｔ  ｔｈｉｓ（これ欲しい）”というリンク５１０をクリックすることによってアニメーションを購入しうる。Ｓａｒａｈはアニメーションディスプレイバー１９２からアニメーションを選択してもよい。所望のアニメーションを探すために、Ｓａｒａｈは選択可能なアニメーションの表示１９１内をスクロールしてもよい。図５Ｂは、（図５Ａに示すアニメーションディスプレイバー１９２の選択可能なアニメーションの位置と比較した）アニメーションディスプレイバー１９１上の選択可能なアニメーションの動きを示す図である。Ｓａｒａｈは、選択可能なアニメーションの表示１９２上をクリックすることによって選択可能なアニメーションをアクティブにしてもよい。選択されたアニメーションは、Ｃａｌｖｉｎ  ＫｏｎｇとＳａｒａｈとの両者の「再生」ボタンをアクティブにすることを通して、それぞれのスレッド表示された会話内に出現する。（本明細書における「再生」ボタンは単なる例示であることは理解されるべきである。ユーザがアニメーションをアクティブにしうる手段は、そのような能力を提供する任意の可視化された手段であってもよい。）
【００４８】
本明細書で記載される種々の実施の形態は、他の実施の形態と組み合わせて用いることができることは留意すべきである。すなわち、ある記載された実施の形態は、１以上の他の記載された実施の形態と組み合わせて用いることができる。
【００４９】
ある実施の形態では、送信部１４０は装置２００（以下、「第２装置２００」という。）に選択されたアニメーションを送信する。それにより、第１装置１００と第２装置２００との間のスレッド表示された会話が、ディスプレイ２１０上に表示された選択可能なアニメーション１９０を含むようになる。
【００５０】
さらなる実施の形態では、選択可能なアニメーション１９０は方向に関して操作される。例えば、ユーザ１０５が「パンチ」アニメーション（例えば拳、ボクシングのグローブ）をユーザ２０５に送信する。それに応じて、ユーザ１０５は「パンチ」アニメーションがディスプレイ１１０に入ってくるのを観察し、ユーザ２０５は「パンチ」アニメーションがディスプレイ２１０を出て行くのを観察する。
【００５１】
ある実施の形態では、選択可能なアニメーションの表示のセット１９１は、上述のいろいろな入力の内の少なくとも１つがあるまでは、ディスプレイ１１０および／またはアニメーションディスプレイバー１９２に表示されない。例えば、タッチスクリーン上（例えば、「再生」ボタン５０５）にタップがあるまでハートのアニメーションは表示されない。
【００５２】
任意の数のアニメーションが、アクセスおよび／または選択されてスレッド表示された会話の中に組み込まれることができる。ある実施の形態では、選択可能なアニメーションの表示のセット１９１は、地域に関連した（geographical-related）アニメーションである。例えば、選択可能なアニメーションの表示のセット１９１は、装置１００および／または２００の所在地に基づいている。
【００５３】
具体的に、装置１００がハワイにあるとき、選択可能なアニメーションの表示のセット１９１は、その位置に関連する。例えば、地域に関連したアニメーションは、ＧＰＳ１６０から決定されたハワイの位置に基づいて、限定はしないがサーブボード、太陽、ヤシの木、ココナツ等とすることができる。
【００５４】
所在地の決定は様々な方法で提供可能なことは理解されるべきである。例えば、装置の所在地の決定は、ユーザの登録、装置のＩＰアドレス、または所在地を決定するために用いられる任意の他の方法によって提供された情報に基づくことができる。
【００５５】
他の実施の形態では、選択可能なアニメーションの表示のセット１９１は、スレッド表示された会話の時期に基づく時間に関連したアニメーションである。例えば、スレッド表示された会話がクリスマスのあたりで行われた場合、アニメーションはクリスマスに関連したもの（例えば、靴下、クリスマスツリー、キャンディ棒、その他）となる。別の実施の形態では、スレッド表示された会話が晩に行われた場合、アニメーションは晩に関連する（例えば月、星、パジャマ等）。
【００５６】
さらなる実施の形態では、選択可能なアニメーションの表示のセット１９１は、文化に関連したアニメーションである。例えば、ユーザ１０５および／またはユーザ２０５がカナダにいる場合、選択可能なアニメーションの表示のセット１９１は、限定はしないが、カナダの国旗、アイスホッケー用パック、カーリングストーン（curling stone）等とすることができる。
【００５７】
さらに別の実施の形態では、選択可能なアニメーションの表示のセット１９１は、口座の状態に基づいて利用可能となり、および／またはアクセスされる。例えば、ユーザ１０５が選択可能なアニメーションの表示のセット１９１にアクセスするための支払い可能な口座を持っている。ユーザ１０５が口座に十分な支払いを提供すれば、ユーザ１０５は選択可能なアニメーションの表示のセット１９１にアクセスすることができる。反対に、ユーザが口座に十分な支払いを提供しない場合、ユーザ１０５は選択可能なアニメーションの表示のセット１９１にアクセスすることができない。
【００５８】
さらに、アニメーションの利用および選択は、イベント、休日、特別な出来事等に特に関連することもできる。休日は、限定はしないが、宗教的行事のために指定されている日（例えばクリスマス、復活祭、贖罪の日（Yom Kippur）等）、祝祭日（例えば新年、大統領誕生日、戦没者追悼記念日等）、または任意の他の振替休日（公式または非公式）とすることができる。イベントまたは特別な出来事は、限定はしないが、誕生日、記念日、卒業式、結婚式、新しい仕事、退職等とすることができる。
【００５９】
ある例では、感謝祭の日またはそのあたりで、ターキー、パンプキンパイ、ピルグリム（Pilgrim）等のアニメーションが選択され、および／または用いられる。他の例では、聖パトリックの祭日またはそのあたりで、シャムロック（shamrock）、金貨壺（pot of gold）、およびレプラコーン（leprechaun）のアニメーションが選択され、および／または用いられる。さらなる例では、復活祭の日またはそのあたりで、復活祭のウサギ（Easter bunny）および復活祭の卵（Easter egg）のアニメーションが選択され、および／または用いられる。
【００６０】
ある実施の形態では、（プロンプト（prompt）によって）ユーザはイベント、休日、特別な出来事等に特に関連したアニメーションを用いるように促される。（本明細書において「プロンプト」は、取り得る行動についてユーザに提案したり気づきを与えたりすることを提供する任意の機能であり得ることは理解されるべきである。ある実施の形態では、プロンプトは、取りうる行動を提案するポップアップであってもよい。ポップアップはユーザによるキー操作または他のアクションに応じて出現する。他の実施の形態では、プロンプトは、文字を表示する（ポップアップしない）ボタン等であってもよい。ボタン等は、ユーザに提示される特定のスクリーン上に終始表示されてもよい。）
【００６１】
例えば、７月４日またはそのあたりで、ユーザは、７月４日に特に関連するアニメーション（例えば花火）を選択し、および／または使用するように促される。特に、アニメーションがユーザに例示され、ユーザはスレッド表示された会話中の他のユーザにアニメーションを送信するように促される。
【００６２】
他の実施の形態では、ユーザは他のユーザにアニメーションを送信するように促されるが、ここで相手との親族関係が想像され、知られ、または推論される。例えば、母親が息子と文字通信をしているとする。もし母親／息子の関係が想像され、知られ、または推論されると、息子は母の日に特に関連するアニメーション（例えば花）のアニメーションを用いるように促される。
【００６３】
親族関係は様々な方法で決定することができる。例えば、限定はしないが、名字、ユーザの所在地、発着信履歴等に基づいて決定することができる。
【００６４】
さらに、息子は「あなたのお母様のようですが正しいですか？」というメッセージとともに促されてもよい。そのため、息子がその母親と通信していると応答した場合、息子は母の日に特に関連するアニメーション（例えば花）のアニメーションを用いるように促される。
【００６５】
アニメーションは収益を高めることができることも理解されるべきである。例えば、バレンタインデーに１００，０００のアニメーションが利用され、各アニメーションの利用料は０．５０＄である。その結果、５０，０００＄の利用料がバレンタインデーに積み上げられる。
【００６６】
図６および７はそれぞれ、実施の形態に係る方法６００および７００を示すフローチャートである。種々の実施の形態において、方法６００および７００は、コンピュータが読み出し可能かつコンピュータが実行可能な命令による制御の下、プロセッサおよび電気部品によって実行される。コンピュータが読み出し可能かつ実行可能な命令は、例えばコンピュータが利用可能な揮発性または不揮発性メモリのようなデータ記録媒体内に存在する。しかしながら、コンピュータが読み出し可能かつ実行可能な命令は、任意の種類のコンピュータが読み出し可能な記録媒体に存在してもよい。いくつかの実施の形態では、方法６００および７００は、図１から５に記載されているように、装置１００および／または２００によって実行される。
【００６７】
図１−６を参照して、方法６００の工程６０５では、装置１００（以下本明細書において、「第１装置１００」という。）において、選択可能なアニメーション１９０の選択を通して、選択可能なアニメーションが受信される。選択可能なアニメーション１９０は、スレッド表示された会話を増加させるために構成されている。方法６００の工程６１０において、選択可能なアニメーション１９０が第１装置１００および第２装置２００の会話ビュー内に出現するように、選択可能なアニメーション１９０の選択がスレッド表示された会話に埋め込まれる。
【００６８】
ある実施の形態では、方法６００の工程６１５において、選択可能な画像３０５が表示され、選択可能なアニメーションの表示のセット１９１を表す。さらに、ある実施の形態では、方法６００の工程６２０において、選択可能なアニメーションの表示のセット１９１を表現する選択可能な画像３０５が表示される。選択可能な画像３０５の選択があるとすぐ、選択可能なアニメーションの表示のセット１９１が表示される。方法６００の工程６２５において、選択可能な画像３０５の選択を受信することに応じて、選択可能なアニメーションの表示のセット１９１が表示される。
【００６９】
ある実施の形態では、工程６２５における選択可能なアニメーションの表示のセットを表示することは、以下に示す１以上の工程を含む。表示工程６３０：第１装置１００のディスプレイスクリーン上に存在する制御バーを置き換えるアニメーション制御バー１９２内に、選択可能なアニメーションの表示のセット１９１を表示する。表示工程６３５：選択可能なアニメーションの表示のセット１９１をリスト形式で表示する。および表示工程６４０：選択可能なアニメーションの表示のセット１９１を回転式コンベア形式（carousel format）で表示する。
【００７０】
ある実施の形態では、リスト形式はスクロール可能である。ある実施の形態では、上述した回転式コンベア形式は、表示している選択可能なアニメーションの表示のセット１９１を、アニメーション制御バー１９２の一方の側から他方の側に向けて指でスワイプすると、選択可能なアニメーションの表示のセット１９１が移動する形式である。この結果、当初スクリーン上で隠れていたアニメーションが出現し、元々スクリーン上に出現していたアニメーションが隠れるような形式である。さらに、ある実施の形態では、回転式コンベア形式内のリストの終端に到達すると、リストは最初から開始される。
【００７１】
さらに、ある実施の形態では、所望のアニメーションの検索は、タイプまたは声を通して特定のテーマの検索がアクティブになることで行われる。
【００７２】
ある実施の形態では、選択可能なアニメーションの表示のセット１９１は、アニメーション制御バー１９２内に表示されることなく、第１装置１００に表示されてもよい。
【００７３】
ある実施の形態では、方法６００の工程６４５において、選択可能なアニメーションのためのアクティベーションアクションを受信し、当該アクティベーションアクションの受信に応じてアニメーションが再生される。アクティベーションアクションは、装置がアニメーションを再生するようにユーザが実行するアクションの１つである。ある実施の形態では、方法６００の工程６５０において、繰り返しアクティベーションアクションを受信することに応じて、アニメーションが繰り返し再生される。
【００７４】
ある実施の形態では、以下に記載するように、方法６００の工程６５５において会話ビュー中の選択可能なアニメーションの出現と同時に、選択可能なアニメーションの表示のセット１９１に関連する購入情報を第２装置２００に表示する。さらに別の実施の形態では、以下に記載するように、方法６００の工程６６０において会話ビュー中の選択可能なアニメーションの出現と同時に、選択可能なアニメーションの表示のセット１９１に関連する購入情報を第１装置１００に表示する。
【００７５】
図１−７を参照し、ある実施の形態では、方法７００の工程７０５において、選択可能なアニメーション１９０が受信される。選択可能なアニメーション１９０は、スレッド表示された会話を増加させるために構成されている。ある実施の形態では、方法７００の工程７１０において、選択可能なアニメーションが第１装置１００および第２装置２００の会話ビュー内に出現するように、選択可能なアニメーションの選択がスレッド表示された会話に埋め込まれる。ある実施の形態では、方法７００の工程７１５において、第２装置２００に、選択可能なアニメーション１９０に関連する購入情報が表示される。ある実施の形態では、方法７００の工程７４５において、第１装置に、選択可能なアニメーションに関連する購入情報が表示される。
【００７６】
種々の実施の形態が説明された。特定の実施の形態が説明されたが、実施の形態はこのような説明に限定して解釈されるのではなく、特許請求の範囲にしたがって解釈されることは理解されるべきである。
【００７７】
本明細書で説明される全ての要素、部分およびステップが好適に含まれる。当業者には自明であるが、これらの要素、部分およびステップのうちの任意のものは他の要素、部分およびステップによって置き換えられ得るかまたは削除されうることは理解されるべきである。
【００７８】
当業者であれば、本明細書における方法のステップは、限定はしないがプロセッサ、少なくともキーボード、マウス、スキャナ、カメラを含む入力装置、および少なくともモニタ、プリンタを含む出力装置を含むハードウェアによって実行されることは理解するであろう。方法のステップは、必要なときは適切な装置で実行される。例えば、決定ステップは、決定アルゴリズムを実装することによってプロセッサ内の意思決定ユニットによって実行される。当業者であれば、この意思決定ユニットは、物理的に、または例えば上述の決定アルゴリズムをプロセッサが実行するときに事実上存在することができることは理解するであろう。この解析は、本明細書中の他のステップにも適用される。
【００７９】
コンセプト
本書面は少なくとも以下のコンセプトを開示する。
コンセプト１
第１装置と第２装置との間のスレッド表示された会話を増加させるためのコンピュータに実装された方法であって、当該方法は、
前記第１装置において、スレッド表示された会話を増加させるために構成されている選択可能なアニメーションの選択を通して、前記選択可能なアニメーションを受信するステップと、
前記選択可能なアニメーションが前記第１装置および前記第２装置の会話ビュー内に出現するように、前記選択可能なアニメーションの選択を前記スレッド表示された会話に埋め込むステップとを含むことを特徴とするコンピュータに実装された方法。
コンセプト２
選択可能なアニメーションの表示のセットを前記第１装置に表示するステップをさらに含むことを特徴とするコンセプト１に記載のコンピュータに実装された方法。
コンセプト３
選択可能なアニメーションの表示のセットを表現する選択可能な画像を表示するステップをさらに含み、
前記選択可能な画像の選択があるとすぐ、前記選択可能なアニメーションの表示のセットが表示されることを特徴とするコンセプト１に記載のコンピュータに実装された方法。
コンセプト４
前記選択可能な画像の選択を受信することに応じて、前記選択可能なアニメーションの表示のセットを表示するステップをさらに含むことを特徴とするコンセプト３に記載のコンピュータに実装された方法。
コンセプト５
前記選択可能なアニメーションの表示のセットを表示するステップは、
前記第１装置のディスプレイスクリーン上に存在する制御バーを置き換えるアニメーション制御バー内に、前記選択可能なアニメーションの表示のセットを表示するステップを含むことを特徴とするコンセプト４に記載のコンピュータに実装された方法。
コンセプト６
前記選択可能なアニメーションの表示のセットを表示するステップは、
リスト形式で前記選択可能なアニメーションの表示のセットを表示するステップを含むことを特徴とするコンセプト４に記載のコンピュータに実装された方法。
コンセプト７
前記選択可能なアニメーションの表示のセットを表示するステップは、
回転式コンベア（carousel）形式で前記選択可能なアニメーションの表示のセットを表示するステップを含むことを特徴とするコンセプト４に記載のコンピュータに実装された方法。
コンセプト８
前記選択可能なアニメーションのためのアクティベーションアクション（activation action）を受信し、当該アクティベーションアクションの受信に応じて前記アニメーションを再生するステップをさらに含むことを特徴とするコンセプト１、２、または３に記載のコンピュータに実装された方法。
コンセプト９
繰り返しアクティベーションアクションを受信することに応じて、前記アニメーションを繰り返し再生するステップをさらに含むことを特徴とするコンセプト８に記載のコンピュータに実装された方法。
コンセプト１０
前記会話ビュー中の前記選択可能なアニメーションの出現と同時に、選択可能なアニメーションの表示のセットに関連する購入情報を前記第２装置に表示するステップをさらに含むことを特徴とするコンセプト１、２、または３に記載のコンピュータに実装された方法。
コンセプト１１
テレビ会議の最後に、前記会話ビュー中の前記選択可能なアニメーションの出現と同時に、選択可能なアニメーションの表示のセットに関連する購入情報を前記第１装置に表示するステップをさらに含むことを特徴とするコンセプト１、２、または３に記載のコンピュータに実装された方法。
コンセプト１２
スレッド表示された会話に参加するために構成された第１装置であって、当該第１装置は、
第２装置とのスレッド表示された会話を表示するために前記第１装置に配置されたディスプレイと、
スレッド表示された会話を増加させるために構成されている選択可能なアニメーションの選択を通して、前記選択可能なアニメーションを受信するために構成された選択受信部と、
前記第２装置に出現する前記スレッド表示された会話の中に前記選択可能なアニメーションの選択を埋め込むために構成されたアニメーション埋込部と、
前記選択可能なアニメーションの前記選択を含む前記スレッド表示された会話を送信するための送信部とを備え、
前記選択を含む前記スレッド表示された会話は、前記第２装置において会話ビューの中に表示されるために構成されていることを特徴とする装置。
コンセプト１３
タッチスクリーンディスプレイをさらに備えることを特徴とするコンセプト１２に記載の装置。
コンセプト１４
ビデオカメラをさらに備えることを特徴とするコンセプト１２または１３に記載の装置。
コンセプト１５
マイクをさらに備えることを特徴とするコンセプト１２または１３に記載の装置。
コンセプト１６
実行されたとき、コンピュータプロセッサに方法を実行させる命令が格納されたコンピュータが読み出し可能な記録媒体であって、当該方法は、
第１装置において、スレッド表示された会話を増加させるために構成されている選択可能なアニメーションの選択を通して、前記選択可能なアニメーションを受信するステップと、
前記選択可能なアニメーションが前記第１装置および第２装置の会話ビュー内に出現するように、前記選択可能なアニメーションの選択を前記スレッド表示された会話に埋め込むステップと、
前記第２装置に、前記選択可能なアニメーションに関連する購入情報を表示するステップとを含むことを特徴とするコンピュータが読み出し可能な記録媒体。
コンセプト１７
前記第１装置に前記選択可能なアニメーションに関連する前記購入情報を表示するための命令をさらに含むことを特徴とするコンセプト１６に記載のコンピュータが読み出し可能な記録媒体。
コンセプト１８
前記第１装置における前記選択可能なアニメーションに関連する前記購入情報の表示は、
前記会話ビュー中の前記選択可能なアニメーションの出現と同時に、選択可能なアニメーションの表示のセットに関連する購入情報を前記第１装置に表示することを含むことを特徴とするコンセプト１７に記載のコンピュータが読み出し可能な記録媒体。
コンセプト１９
前記第２装置に、前記選択可能なアニメーションに関連する購入情報を表示するステップは、
前記会話ビュー中の前記選択可能なアニメーションの出現と同時に、選択可能なアニメーションの表示のセットに関連する購入情報を前記第２装置に表示するステップを含むことを特徴とするコンセプト１６または１７に記載のコンピュータが読み出し可能な記録媒体。
コンセプト２０
前記第２装置に、前記選択可能なアニメーションに関連する購入情報を表示するステップは、
一人のユーザの費用で、限定された日数利用可能なアニメーションパッケージを表示するステップを含むことを特徴とするコンセプト１６または１７に記載のコンピュータが読み出し可能な記録媒体。
コンセプト２１
前記第２装置に、前記選択可能なアニメーションに関連する購入情報を表示するステップは、
ユーザに無料で、限定された日数利用可能なアニメーションパッケージを表示するステップを含むことを特徴とするコンセプト１６または１７に記載のコンピュータが読み出し可能な記録媒体。
コンセプト２２
前記第２装置に、前記選択可能なアニメーションに関連する購入情報を表示するステップは、
前記選択可能な購入情報の画像の第１セットを表示し、前記選択可能な購入情報の画像の第１セットの選択があるとすぐ、前記購入情報の詳細の第１セットを表示するステップを含むことを特徴とするコンセプト１６または１７に記載のコンピュータが読み出し可能な記録媒体。
コンセプト２３
前記第２装置に、前記選択可能なアニメーションに関連する購入情報を表示するステップは、
前記選択可能な購入情報の画像の第２セットを表示し、前記選択可能な購入情報の画像の第２セットの選択があるとすぐ、前記購入情報の詳細の第２セットを表示するステップを含むことを特徴とするコンセプト１６または１７に記載のコンピュータが読み出し可能な記録媒体。
【図１】
2015530634.tif 000003
【図２Ａ】
2015530634.tif 000004
【図２Ｂ】
2015530634.tif 000005
【図６】
2015530634.tif 000006
【図７】
2015530634.tif 000007
【図３Ａ】
2015530634.tif 000008
【図３Ｂ】
2015530634.tif 000009
【図３Ｃ】
2015530634.tif 000010
【図４Ａ】
2015530634.tif 000011
【図４Ｂ】
2015530634.tif 000012
【図５Ａ】
2015530634.tif 000013
【図５Ｂ】
2015530634.tif 000014
【国際調査報告】
2015530634.tif 000015
2015530634.tif 000016